(57)【特許請求の範囲】
【請求項１】
印刷データに設定された用紙サイズの情報を、前記印刷データが印刷される用紙のサイズの情報である用紙サイズ情報に変換する変換装置であって、
前記印刷データを取得する印刷データ取得部と、
印刷データ取得部にて取得された印刷データから、該印刷データに設定された第１情報を抽出する第１抽出部と、
前記第１情報に含まれる情報である第２情報を抽出する第２抽出部と、
前記用紙サイズ情報と前記第２情報とを対応付けた対応情報から、前記第２抽出部にて抽出された第２情報に対応する用紙サイズ情報を取得する用紙サイズ取得部と、
前記用紙サイズ取得部にて取得された用紙サイズ情報を、該用紙サイズ情報により定着器の温度制御を行う画像形成装置の前記定着器の制御装置に出力する出力部と、
を備える変換装置。
【請求項２】
請求項１に記載の変換装置において、
前記用紙サイズ取得部は、前記第２抽出部にて抽出された第２情報のデータ配列が前記対応情報の第２情報のデータ配列に一致または部分一致しているか否かを判定し、一致または部分一致している場合、前記対応情報から前記第２抽出部にて抽出された第２情報と一致または部分一致している前記対応情報の第２情報に対応する用紙サイズ情報を取得することを特徴とする変換装置。
【請求項３】
請求項１または請求項２に記載の変換装置において、
前記用紙サイズ取得部は、更に前記対応情報に前記用紙サイズ情報と、いずれの第２情報にも対応することができる第３情報との対応が登録されることで、前記第２抽出部にて抽出された第２情報と前記対応情報の第２情報とが対応しない場合、前記対応情報から前記第３情報と対応する用紙サイズ情報を取得することを特徴とする変換装置。
【請求項４】
印刷データに設定された用紙サイズの情報を、前記印刷データが印刷される用紙のサイズの情報である用紙サイズ情報に変換し、変換された用紙サイズ情報に基づき前記印刷データを印刷する画像形成装置であって、
前記印刷データを取得する印刷データ取得部と、
印刷データ取得部にて取得された印刷データから、該印刷データに設定された第１情報を抽出する第１抽出部と、
前記第１情報に含まれる情報である第２情報を抽出する第２抽出部と、
前記用紙サイズ情報と前記第２情報とを対応付けた対応情報から、前記第２抽出部にて抽出された第２情報に対応する用紙サイズ情報を取得する用紙サイズ取得部と、
前記用紙サイズ取得部にて取得された用紙サイズ情報により前記画像形成装置の定着器の温度分布を制御する制御部と、
を備える画像形成装置。
【請求項５】
印刷データに設定された用紙サイズの情報を、前記印刷データが印刷される用紙のサイズの情報である用紙サイズ情報への変換をコンピュータに実行させるための変換プログラムであって、
前記印刷データを取得する印刷データ取得ステップと、
印刷データ取得ステップにて取得された印刷データから、該印刷データに設定された第１情報を抽出する第１抽出ステップと、
前記第１情報に含まれる情報である第２情報を抽出する第２抽出ステップと、
前記用紙サイズ情報と前記第２情報とを対応付けた対応情報から、前記第２抽出ステップにて抽出された第２情報に対応する用紙サイズ情報を取得する用紙サイズ取得ステップと、
前記用紙サイズ取得ステップにて取得された用紙サイズ情報を、該用紙サイズ情報により定着器の温度制御を行う画像形成装置の前記定着器の制御装置に出力する出力ステップと、
を前記コンピュータに実行させるための変換プログラム。
【請求項６】
印刷データに設定された用紙サイズの情報を、前記印刷データが印刷される用紙のサイズの情報である用紙サイズ情報に変換する変換方法であって、
前記印刷データを取得する印刷データ取得ステップと、
印刷データ取得ステップにて取得された印刷データから、該印刷データに設定された第１情報を抽出する第１抽出ステップと、
前記第１情報に含まれる情報である第２情報を抽出する第２抽出ステップと、
前記用紙サイズ情報と前記第２情報とを対応付けた対応情報から、前記第２抽出ステップにて抽出された第２情報に対応する用紙サイズ情報を取得する用紙サイズ取得ステップと、
前記用紙サイズ取得ステップにて取得された用紙サイズ情報を、該用紙サイズ情報により定着器の温度制御を行う画像形成装置の前記定着器の制御装置に出力する出力ステップと、
を実行する変換方法。
【発明の詳細な説明】
【技術分野】
【０００１】
本発明は、アプリケーションで作成される印刷データに設定された用紙のサイズと実際に印刷する用紙のサイズが異なる印刷を可能にする交換装置、画像形成装置、交換プログラム、交換方法に関するものである。
【背景技術】
【０００２】
従来、ユーザはレーザプリンタなどの印刷装置（画像形成装置）で印刷を行う場合、アプリケーションからプリンタドライバに用紙サイズが通知され、通知された用紙サイズに従ってプリンタドライバは印刷装置で印刷可能なデータ形式で印刷データを作成し、送信する。印刷データを受信した印刷装置は印刷データの中に埋め込まれた用紙サイズに従って、適切な給紙口を選択し印刷を行う。
【０００３】
利用される用紙は、Ａ３サイズ、Ａ４サイズ等、規格に定められた定形用紙や、販売店などでの払い込み伝票など各種用途向けに作成された不定形の用紙（一般的にはユーザ定義サイズと呼称されている）がある。プリンタドライバは、定形用紙ではＡ３サイズなどが定義され、不定形の用紙では用紙の長さ、幅があらかじめ定義されており、印刷装置は、プリンタドライバで定義されている用紙サイズがアプリケーションにて選択されることにより印刷を行う。
【０００４】
また、帳票等の特定用途向けのアプリケーションは汎用的なＯＳが稼動するパーソナルコンピュータが普及する前のホスト端末を対象に作成されてきた。これらのアプリケーションは機能が不足しているため、不定形の用紙定義を選択できず、Ａ４サイズなどの定形用紙しか扱うことができなかった。
【０００５】
また特定用途向けの用紙では、例えば幅１００ｍｍ、長さ４２０ｍｍなどの細長い用紙などの場合が多く、このような場合は、ユーザはアプリケーション側でＡ３用紙として印刷データを作成し、印刷装置には幅１００ｍｍ、長さ４２０ｍｍの用紙をセットするなど、作成された印刷データと実際に給紙する用紙が異なる「用紙サイズ騙し」にて運用を行っていた。
【０００６】
なお、本発明の関連ある従来技術として、定着する用紙サイズを検知することで、不定形原稿サイズの原稿に対しては、最適の定形原稿サイズに置換する画像形成装置が開示されている（例えば特許文献１）。また、検知した原稿サイズ、記録紙サイズを定形サイズに置換することなく、実サイズを用いて画像位置の制御を行う画像形成装置が開示されている（例えば特許文献２）。また、定着する用紙のサイズを検知することで、用紙と接触しない部分が高温になりすぎないようにする制御方法が開示されている（例えば特許文献３）。
【特許文献１】特開２０００−３３０４２８号公報
【特許文献２】特開２０００−２６７５１１号公報
【特許文献３】特開２００６−２５１７２４号公報
【発明の開示】
【発明が解決しようとする課題】
【０００７】
しかしながら、近年の技術革新により印刷装置の印刷速度は大幅に向上し、従来は１分間に数枚の用紙を印刷する能力しかない低速印刷が主流であったのに対し、近年は高速印刷が可能である印刷装置が主流となっている。またこのような高速印刷が可能である印刷装置は、印刷を開始するまでの時間も従来は数分かかっていたのに対し、近年は数十秒程度となっている。
【０００８】
このような性能向上を実現するため、印刷装置は短時間で定着器のヒートローラを加熱し高速で用紙を搬送させている。
【０００９】
ここで、前述の「用紙サイズ騙し」にて運用を行うと、アプリケーション側で例えばＡ３サイズで印刷するよう選択された場合、印刷装置はヒートローラ全体を加熱するが、実際に給紙される用紙は幅が狭いため、用紙が給紙される部分は熱が逃げていき、用紙が給紙されない部分については熱が逃げないためヒートローラが規定よりも高い温度となる。通常、定着器には過熱防止のため温度感知のセンサを搭載しているが、高速な印刷を行うと、温度感知センサで過熱を検出する前に定着器の限界温度に達してしまい、定着器の劣化につながるおそれがある。尚、従来の低速印刷の印刷装置では、ヒートローラはゆっくり加熱され、また印刷速度が遅かったため「用紙サイズ騙し」にて運用を行っていても正常に印刷動作が行えていた。
【００１０】
上述の問題を回避するため、ユーザは印刷装置の印刷速度を一律で遅くするような特殊な動作をさせたりして問題に対応していた。しかし、このような対応では、Ａ４サイズの印刷データをそのままの用紙サイズで印刷するなどの用紙サイズ騙しでない印刷においても、印刷性能が低下してしまい業務効率が悪化するという問題が発生した。
【００１１】
上述の公知技術においては、実際に印刷装置にセットされた用紙サイズを検知することで、用紙サイズの変換を行っているものであるが、特許文献１、特許文献２においては各種検知センサが必要となるため、コスト面での負荷が大きい。また、特許文献３においては、予め設けられたダイヤルにて用紙サイズを制御しているため、不定形な原稿サイズに対しては汎用性がない。
【００１２】
本発明は上述した問題点を解決するためになされたものであり、用紙サイズの不一致による定着器の劣化を低減させる交換装置、交換プログラム、交換方法を提供することを目的とする。
【課題を解決するための手段】
【００１３】
上述した課題を解決するため、本発明は、印刷データに設定された用紙サイズの情報を、前記印刷データが印刷される用紙のサイズの情報である用紙サイズ情報に変換する変換装置であって、前記印刷データを取得する印刷データ取得部と、印刷データ取得部にて取得された印刷データから、該印刷データに設定された第１情報を抽出する抽出部と、前記用紙サイズ情報と前記第１情報に基づく第２情報とを対応付けた対応情報から、前記抽出部にて抽出された第１情報を前記対応情報の第２情報に対応させることで前記用紙サイズ情報を取得する用紙サイズ取得部と、前記用紙サイズ取得部にて取得された用紙サイズ情報を画像形成装置の定着器の制御装置に出力する出力部とを備えるものである。
【００１４】
また、本発明は、印刷データに設定された用紙サイズの情報を、前記印刷データが印刷される用紙のサイズの情報である用紙サイズ情報に変換し、変換された用紙サイズ情報に基づき前記印刷データを印刷する画像形成装置であって、前記印刷データを取得する印刷データ取得部と、印刷データ取得部にて取得された印刷データから、該印刷データに設定された第１情報を抽出する抽出部と、前記用紙サイズ情報と前記第１情報に基づく第２情報とを対応付けた対応情報から、前記抽出部にて抽出された第１情報を前記対応情報の第２情報に対応させることで前記用紙サイズ情報を取得する用紙サイズ取得部と、前記用紙サイズ取得部にて取得された用紙サイズ情報を画像形成装置の定着器の制御装置に出力する出力部とを備えるものである。
【００１５】
さらに、本発明は、印刷データに設定された用紙サイズの情報を、前記印刷データが印刷される用紙のサイズの情報である用紙サイズ情報への変換をコンピュータに実行させる変換プログラムであって、前記印刷データを取得する印刷データ取得ステップと、印刷データ取得ステップにて取得された印刷データから、該印刷データに設定された第１情報を抽出する抽出ステップと、前記用紙サイズ情報と前記第１情報に基づく第２情報とを対応付けた対応情報から、前記抽出ステップにて抽出された第１情報を前記対応情報の第２情報に対応させることで前記用紙サイズ情報を取得する用紙サイズ取得ステップと、前記用紙サイズ取得ステップにて取得された用紙サイズ情報を画像形成装置の定着器の制御装置に出力する出力ステップとをコンピュータに実行させるものである。
【００１６】
また、本発明は、印刷データに設定された用紙サイズの情報を、前記印刷データが印刷される用紙のサイズの情報である用紙サイズ情報に変換する変換方法であって、前記印刷データを取得する印刷データ取得ステップと、印刷データ取得ステップにて取得された印刷データから、該印刷データに設定された第１情報を抽出する抽出ステップと、前記用紙サイズ情報と前記第１情報に基づく第２情報とを対応付けた対応情報から、前記抽出ステップにて抽出された第１情報を前記対応情報の第２情報に対応させることで前記用紙サイズ情報を取得する用紙サイズ取得ステップと、前記用紙サイズ取得ステップにて取得された用紙サイズ情報を画像形成装置の定着器の制御装置に出力する出力ステップとを実行するものである。
【発明の効果】
【００１７】
本発明によれば、用紙サイズ不一致に起因する定着器の劣化を低減させることができる。
【発明を実施するための最良の形態】
【００１８】
以下、図面を参照して本発明の実施の形態について説明する。なお、本実施の形態は、本発明の一つの実施例であるため、以下の説明において特に本発明を限定する旨の記載がない限り、本実施の形態に限られるものではない。
【００１９】
また、本実施の形態では、用紙サイズ等の各種設定を画像形成装置に登録する方法については特に限定しない。あらかじめ画像形成装置のオペレータパネルなどから手動で入力され、画像形成装置内のデータ管理形式に従って、各種設定が登録、参照されるものでもよいし、簡易なＷＥＢサーバが画像形成装置内に備えられ、ユーザによってＷＥＢブラウザを用いることで手動にて各種設定が入力されるようにしてもよい。
【００２０】
本実施の形態における画像形成装置を含むネットワークの全体構成を図１を参照し説明する。
【００２１】
図１においてクライアント２１、クライアント２２、クライアント２３は印刷データおよび印刷指示を送信するホスト端末あり、印刷装置１００（画像形成装置）はネットワークプリンタ装置である。これらの装置はネットワーク３０を介して相互に接続されている。ネットワーク３０はローカルＬＡＮなどであり、インターネット４０に接続されている。クライアント２１およびクライアント２２はネットワーク３０を介して印刷装置１００に対して印刷指示を行うことができる。また、クライアント２３はインターネット４０を介してネットワーク３０に接続されており、印刷装置１００に対して印刷指示を行うことができる。
【００２２】
次に、印刷装置１００の構成を図２を参照し説明する。印刷装置１００は変換装置１と印刷部１０２より構成される。変換装置１はさらに、ＣＰＵ１０３とＲＡＭメモリ１０４、フラッシュＲＯＭ１０５、ネットワークＩ／Ｆ部１０６（Ｉ／Ｆ：Ｉｎｔｅｒｆａｃｅ）、周辺制御ＬＳＩ１０７、ユーザ操作パネル１０８、ＵＳＢＩ／Ｆ部２０１、パラレルＩ／Ｆ部２０２より構成される。
【００２３】
印刷装置１００の制御は、フラッシュＲＯＭ１０５に格納されているプリンタファームウェアをＣＰＵ１０３がＲＡＭメモリ１０４に展開し、ＲＡＭメモリ１０４上で展開されたプログラムをＣＰＵ１０３が実行することによって行う。
【００２４】
フラッシュＲＯＭ１０５は印刷装置１００固有の設定情報およびプログラムを格納し、印刷装置１００の起動時にＲＡＭメモリ１０４に展開される。
【００２５】
システム制御部１１３は、ＲＡＭメモリ１０４上に格納されたプログラムがＣＰＵ１０３にて実行され、ＲＡＭメモリ１０４にて格納された各種データを使用することで成る。ＲＡＭメモリ１０４はプリンタ制御のプログラムを格納するプログラム域と印刷データの格納を行う作業域に分割されている。各クライアントから送信される用紙サイズ、用紙方向などの印刷設定や画像データはＲＡＭメモリ１０４に格納される。
【００２６】
また用紙サイズなどの各種設定の対応関係は、対応情報として印刷装置１００によって規定された形式に従ってＲＡＭメモリ１０４に格納されている。また対応情報は本実施の形態において変換パターン選択テーブルおよび変換パターン情報として格納される。変換パターン選択テーブルおよび変換パターン情報はプリンタ起動時にフラッシュＲＯＭ１０５からＲＡＭメモリ１０４に展開される。尚、変換パターン選択テーブルおよび変換パターン情報は対応情報の一例であり、例えば変換パターン選択テーブルと変換パターン情報とをひとつのテーブルとしてもよい。
【００２７】
印刷装置１００はネットワークＩ／Ｆ部１０６を通じてネットワーク３０に接続されている。周辺制御ＬＳＩ１０７はユーザ操作パネル１０８の制御や印刷部１０２内のコントローラ部１０９への制御情報（用紙サイズ情報等）を出力する。
【００２８】
また、ＣＰＵ１０３は、ネットワークＩ／Ｆ部１０６以外にも、ＵＳＢＩ／Ｆ部２０１、パラレルＩ／Ｆ部２０２と接続され、それぞれＵＳＢ規格、ＩＥＥＥ１２８４規格に従ってクライアントと接続することができる。
【００２９】
次に、印刷部１０２について説明する。印刷部１０２は、コントローラ部１０９（制御装置）、定着器１５０、給紙トレイ１１０、給紙トレイ１１１、給紙トレイ１１２を備える。コントローラ部１０９は、周辺制御ＬＳＩ１０７からの制御情報に基づき定着器１５０（ローラを使用することでトナーを用紙に焼き付ける機器）のヒートローラが加熱する幅を制御する。またコントローラ部１０９は、各種用紙がセットされた給紙トレイ１１０、給紙トレイ１１１、給紙トレイ１１２から周辺制御ＬＳＩ１０７からの制御情報に基づきトレイを選択し、用紙を給紙させることで印刷を実行する。
【００３０】
本実施の形態では各種設定情報はフラッシュＲＯＭ１０５に格納しているが、スマートメディアなどの取り外し可能なメモリ媒体やハードディスク装置などに格納してもよい。
【００３１】
次に、本実施の形態の処理について図３のフローチャートを参照しつつ説明する。尚、本実施の形態の処理を説明するにあたり、印刷装置１００はクライアント２１からの印刷データに対し処理を行うものとするが、クライアント２２、クライアント２３からの印刷データも同様に処理することができる。
【００３２】
ネットワークＩ／Ｆ部１０６は、ネットワーク３０に接続されたクライアント２１から印刷データを取得する（ステップＳ１）。ネットワークＩ／Ｆ部１０６より取得された印刷データはＲＡＭメモリ１０４に格納される。尚、クライアント２１がＵＳＢＩ／Ｆ部２０１またはパラレルＩ／Ｆ部２０２と接続している場合、ＵＳＢＩ／Ｆ部２０１またはパラレルＩ／Ｆ部２０２が印刷データを取得することもできる。
【００３３】
システム制御部１１３は、クライアント２１からネットワークＩ／Ｆ部１０６を介して印刷データが送られ、ＲＡＭメモリ１０４に格納されたことを認識すると、ＲＡＭメモリ１０４に格納された印刷データのヘッダ情報の中に含まれる各種情報（文書名、コンピュータ名、用紙サイズ、給紙口情報、印刷ポート）を抽出する（ステップＳ２）。尚、抽出されるデータは上述以外に印刷データ内の印刷を行う上での設定情報であれば如何なるものでもよい。
【００３４】
ここで、印刷データに付与されるヘッダ情報の一例を図４に示す。印刷データは、原稿データとともに、送信元のＩＰアドレス（ＩＰ）、印刷ポート名（または共有名）（ＰＯＲＴ）、送信元コンピュータ名（ＣＮＡＭＥ）、片面または両面の印刷モード（ＤＵＰ）、印刷割付（ＮＵＰ）、印刷データ解像度（ＤＣＨ）、用紙サイズ（ＰＡＰＥＲ）、いずれの給紙口より印刷するかの給紙口情報（ＩＮＰＵＴ）、普通紙、ＯＨＰシート等の用紙種別（ＭＥＤＩＡ）、印刷回転指定（ＲＯＴＡＴＥ）、部数指定（ＣＯＰＹ）、印刷ジョブのユーザ名（ＵＳＥＲ）、印刷ジョブの文書名（ＮＡＭＥ）、印刷時の実行日付（ＤＡＴＥ）、印刷時の実行時間（ＴＩＭＥ）の各情報（第１情報）がヘッダ情報として付与されている。尚、本実施の形態では、ヘッダ情報を上述の各情報としたが、これら以外にも印刷するにあたって必要なデータであれば如何なるものでもよい。
【００３５】
情報の抽出が完了すると、システム制御部１１３は、抽出された各種情報に対し、図５に示す変換パターン選択テーブルに格納された各種情報とを対応付けることで、変換パターンを選択する（ステップＳ３）。
【００３６】
変換パターン選択テーブルは、図５に示すようにテーブル番号ごとに、文書名、コンピュータ名、用紙サイズ、給紙口情報、印刷ポートの各情報（第２情報）を１つのセットとし、変換パターンの識別情報（変換パターンＩＤ）とを対応させて管理している。
【００３７】
ここで、印刷装置１００は例えばクライアント２１から、「文書名＝ＡＡ伝票」、「コンピュータ名＝クライアント２１」、「用紙サイズ＝Ａ４」、「給紙口情報＝１（給紙トレイ１１０に対応）」、「印刷ポート＝ＬＡＮ」というヘッダ情報を持った印刷データを受信したとすると、システム制御部１１３は図５の変換パターン選択テーブルと比較した結果、「変換パターンＩＤ＝Ａ００１」と一致したと判断する。
【００３８】
尚、本実施の形態では、文書名、コンピュータ名、用紙サイズ、給紙口情報、印刷ポートの各種情報に基づき変換パターンが決まるが、これらデータについて限定するものではない。印刷データ内の印刷を行う上での設定情報であれば如何なるものでも適用できる。
【００３９】
次に、システム制御部１１３は変換パターンを選択すると、変換パターン情報に登録された設定に従い、画像処理の実施および用紙サイズの変換を行う（ステップＳ４）。
【００４０】
変換パターン情報は、図６に示すように、変換パターンＩＤ、回転角度、印字位置調整値として主走査方向（印刷装置１００のレーザスキャン方向）と副走査方向（用紙の送り方向）の位置（ｍｍ）、拡大縮小率（％）などの画像処理パラメータと、印刷する用紙サイズ情報（幅×長さ：ｍｍ）を保持している。
【００４１】
上述の例の場合、システム制御部１１３は変換パターンＩＤがＡ００１の情報に従い、Ａ４サイズ（２９７ｍｍ（幅）×２１０ｍｍ（長さ））の印刷データ（「Ａ４」は印刷データの中に含まれ、ステップＳ２で抽出された情報）を「回転角度＝０°（変換なし）」、「主走査方向位置＝０．０ｍｍ」、「副走査方向位置＝０．０ｍｍ」、「拡大縮小変換率＝１００％（変換なし）」とする画像処理を行う。またシステム制御部１１３はＡ４サイズ（２９７ｍｍ（幅）×２１０ｍｍ（長さ））の用紙サイズを、「１００ｍｍ（幅）×２１０ｍｍ（長さ）」に変換する。
【００４２】
システム制御部１１３は画像処理された画像データおよび変換後の用紙サイズ情報、給紙口情報等の各種情報を周辺制御ＬＳＩ１０７を介して印刷部１０２のコントローラ部１０９に出力し（ステップＳ５）、コントローラ部１０９は、出力された用紙サイズ情報の主走査方向成分だけ（上述の例では１００ｍｍ分）定着器１５０のヒートローラが加熱されるよう制御する。
【００４３】
印刷データに設定された用紙サイズがＡ４サイズ（２９７ｍｍ（幅）×２１０ｍｍ（長さ））に対し実際に給紙する用紙サイズは１００ｍｍ（幅）×２１０ｍｍ（長さ）となっているため、従来は用紙サイズ騙し運用となり、定着器が高温となり劣化が生ずるおそれがあったが、本発明の適用により、変換後の印刷設定（１００ｍｍ（幅）×２１０ｍｍ（長さ））と実際に給紙する用紙＝１００ｍｍ（幅）×２１０ｍｍ（長さ）が一致することになり、定着器１５０が適切な温度で制御されるようになる。
【００４４】
また、印刷データのヘッダ情報は様々なものが存在する。よって、ステップＳ２の抽出処理で、ヘッダ情報が対応していないため全項目を抽出できない場合が考えられる。このような場合は、あらかじめ変換パターン選択テーブルに「未登録」（第３情報）のパターンを登録しておき（図５におけるテーブル番号がＮｏ．５やＮｏ．６のパターン）、「未登録」の情報は如何なる値でもよいとすることで、情報が抽出できない場合の変換方法を規定することができる。
【００４５】
また、印刷データを作成する際に、印刷データを印刷する回数、日時などで印刷データの文書名が変わる場合や、一部一致しているコンピュータ名に対し同一の規定で印刷を行いたい場合などがある。このような場合、システム制御部１１３は、あらかじめ変換パターン選択テーブルの「文書名」、「コンピュータ名」の項目に「登録名」として文字列（データ配列）および、一致条件（「部分一致」または「全体一致」）が登録されることで、登録された「登録名」とステップＳ２で抽出した「文書名」、「コンピュータ名」とが部分一致、全体一致のいずれであるか否かを判定することで、対応の有無を判定することができる。尚、部分一致、全体一致のいずれであるか否かの判定はパターンマッチの手法により行われる。
【００４６】
例えば、ヘッダ情報に「文書名＝ＡＡ伝票１１２２」と付与されている印刷データがクライアント２１から送信される場合、文書名について変換パターン選択テーブル（図５）のＮｏ．１では、文書名が「登録名＝ＡＡ伝票」、「部分一致」として登録されているため、システム制御部１１３はクライアント２１から受信した「文書名＝ＡＡ伝票１１２２」と部分的に一致するかの判定を行う。「ＡＡ伝票」の文字列が一致するため、システム制御部１１３は対応一致と判定し、その他の対応条件が満たされている場合は変換パターンＩＤがＡ００１となる。
【００４７】
尚、一致するテーブル番号が２つ以上あった場合、本実施の形態ではテーブル番号が若いものが適用されるものとする。
【００４８】
また、例えば変換パターンＩＤ＝Ａ００１に従い給紙トレイ１１０から印刷を行った後に、別の用紙サイズの印刷が同じ給紙トレイ１１０から行われる場合がある。本実施の形態における変換装置１は、ここで給紙トレイ１１０にセットされた用紙が交換されていない場合、例えば、「用紙交換を行ってください」などのメッセージをユーザ操作パネル１０８に表示し、ユーザに用紙交換を促すことで、不適切な用紙で誤って印刷されることを防止することができる。
【００４９】
用紙交換がなされたか否かの検出は、印刷部１０２の各給紙トレイ（上述の例では給紙トレイ１１０）に搭載された用紙有無検出センサによって行われる。すなわち、システム制御部１１３は給紙トレイ１１０で印刷完了後に定期的に給紙トレイ１１０の用紙有無検出センサの状態を監視し、給紙トレイ１１０の状態が「用紙あり」から「用紙なし」となり、その後「用紙あり」へと遷移した場合は、システム制御部１１３は用紙は交換されたものとみなすことで、用紙交換が行われたと検出することができる。
【００５０】
また、ＲＡＭメモリ１０４に実施した印刷内容（給紙口情報、用紙サイズ情報）の履歴を残し、前回実施した印刷内容と、今回の印刷内容とを対比させることで、用紙交換が必要か否かを検出することもできる。すなわち、システム制御部１１３は、印刷データのヘッダ情報に含まれる給紙口情報と、出力した用紙サイズ情報とを対応させた履歴を保持し、今回の抽出した給紙口情報と、前回の給紙口情報とが同一で、且つ出力する用紙サイズ情報が前回と今回とで異なる場合、用紙変換を要するため「用紙交換を行ってください」などのメッセージをユーザ操作パネル１０８に表示させる。
【００５１】
尚、これらの用紙交換の検出方法はあくまで一例であり、検出方法を限定するものではない。
【００５２】
本実施の形態によって、ユーザが印刷データを印刷装置１００に送信するだけで、あらかじめ登録された変換パターンが選択されるためユーザによる手動の操作が不要となり、操作性を犠牲にすることがなくなる。
【００５３】
また、本実施の形態によって、あらかじめ設定された変換パターンに従って、印刷データの画像処理、用紙サイズの変換が行われ、印刷が実行されるため、用紙サイズの不一致による定着器の劣化を防止することができる。
【００５４】
さらに、本実施の形態によって、複数の用紙を何度も入れ替えて運用している場合に、前回の印刷と異なる変換パターンが選択された際に、エラーを表示しユーザに用紙の入れ替えを促すことができるため、無駄な印刷を防止することができる。
【００５５】
また、本実施の形態によって、印刷装置が想定していないデータなどを受信した時の変換パターンをあらかじめ定義しておくことにより、利便性をさらに向上させることができる。
【００５６】
さらに、本実施の形態によって、文書名、コンピュータ名を完全一致、部分一致で判断することができるため多数の印刷データ、クライアントが存在する場合に、変換パターン選択テーブルに登録するテーブル数の削減やテーブル登録の簡便化を図ることができ、利便性をさらに向上させることができる。
【００５７】
以上のように、本実施の形態により、アプリケーションで作成された印刷データと実際に給紙する用紙が異なる状態にて運用を行っている場合に、定着器の劣化の発生を低減させることができ、また、ユーザの利便性を犠牲にせず印刷を行うことが可能となる。
【００５８】
尚、印刷データ取得部は、本実施の形態におけるネットワークＩ／Ｆ部１０６、ＵＳＢＩ／Ｆ部２０１、パラレルＩ／Ｆ部２０２、ＣＰＵ１０３、ＲＡＭメモリ１０４、システム制御部１１３に対応している。また、抽出部は、本実施の形態におけるＣＰＵ１０３、ＲＡＭメモリ１０４、システム制御部１１３に対応し、用紙サイズ取得部も同様にＣＰＵ１０３、ＲＡＭメモリ１０４、システム制御部１１３に対応している。また、出力部は、本実施の形態におけるＲＡＭメモリ１０４、周辺制御ＬＳＩ１０７、システム制御部１１３に対応している。また、用紙サイズ判定部は、本実施の形態におけるＣＰＵ１０３、ＲＡＭメモリ１０４、システム制御部１１３に対応し、表示部は、本実施の形態におけるＣＰＵ１０３、ＲＡＭメモリ１０４、システム制御部１１３、周辺制御ＬＳＩ１０７、ユーザ操作パネル１０８に対応している。
【００５９】
また、抽出部は、印刷データに含まれる１つまたは複数の設定情報を第１情報として抽出する。対応情報には、印刷データに含まれる１つまたは複数の設定情報（第１情報）に対応した１つまたは複数の情報が第２情報として格納され、更に用紙サイズ情報と第２情報とが対応付けられている。用紙サイズ取得部は、上述の第１情報とした１つまたは複数の設定情報と、第２情報とした１つまたは複数の情報とを、各種設定情報毎で対応さることで用紙サイズ情報を取得する。
【００６０】
更に、変換装置を構成するコンピュータにおいて上述した各ステップを実行させるプログラムを、変換プログラムとして提供することができる。上述したプログラムは、コンピュータにより読取り可能な記録媒体に記憶させることによって、変換装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００６１】
（付記１）  印刷データに設定された用紙サイズの情報を、前記印刷データが印刷される用紙のサイズの情報である用紙サイズ情報に変換する変換装置であって、
前記印刷データを取得する印刷データ取得部と、
印刷データ取得部にて取得された印刷データから、該印刷データに設定された第１情報を抽出する抽出部と、
前記用紙サイズ情報と前記第１情報に基づく第２情報とを対応付けた対応情報から、前記抽出部にて抽出された第１情報を前記対応情報の第２情報に対応させることで前記用紙サイズ情報を取得する用紙サイズ取得部と、
前記用紙サイズ取得部にて取得された用紙サイズ情報を画像形成装置の定着器の制御装置に出力する出力部と、
を備える変換装置。
（付記２）  付記１に記載の変換装置において、
前記用紙サイズ取得部は、前記抽出部にて抽出された第１情報のデータ配列が前記対応情報の第２情報のデータ配列に一致または部分一致しているか否かを判定し、一致または部分一致している場合、前記第１情報を前記第２情報に対応させることで前記用紙サイズ情報を取得することを特徴とする変換装置。
（付記３）  付記１または付記２に記載の変換装置において、
前記用紙サイズ取得部は、更に前記対応情報に前記用紙サイズ情報と、いずれの第１情報にも対応することができる第３情報との対応が登録されることで、前記抽出部にて抽出された第１情報と前記対応情報の第２情報とが対応しない場合、前記第１情報と前記第３情報を対応させることで前記用紙サイズ情報を取得することを特徴とする変換装置。
（付記４）  付記１乃至付記３のいずれかに記載の変換装置において、
前記抽出部は、少なくとも前記印刷データが出力される給紙口の情報を第１情報として取得することを特徴とする変換装置。
（付記５）  付記４に記載の変換装置において、
前記印刷データ取得部にて取得した前回の給紙口の情報と今回の給紙口の情報とが一致している場合、前記出力部にて前回出力された用紙サイズ情報と今回出力する用紙サイズ情報とが一致しているか否かを判定する用紙サイズ判定部を備えることを特徴とする変換装置。
（付記６）  付記５に記載の変換装置において、
前記用紙サイズ判定部にて判定された結果が否である場合、エラーに関する情報を表示する表示部を備えることを特徴とする変換装置。
（付記７）  印刷データに設定された用紙サイズの情報を、前記印刷データが印刷される用紙のサイズの情報である用紙サイズ情報に変換し、変換された用紙サイズ情報に基づき前記印刷データを印刷する画像形成装置であって、
前記印刷データを取得する印刷データ取得部と、
印刷データ取得部にて取得された印刷データから、該印刷データに設定された第１情報を抽出する抽出部と、
前記用紙サイズ情報と前記第１情報に基づく第２情報とを対応付けた対応情報から、前記抽出部にて抽出された第１情報を前記対応情報の第２情報に対応させることで前記用紙サイズ情報を取得する用紙サイズ取得部と、
前記用紙サイズ取得部にて取得された用紙サイズ情報を画像形成装置の定着器の制御装置に出力する出力部と、
を備える画像形成装置。
（付記８）  付記７に記載の画像形成装置において、
前記用紙サイズ取得部は、前記抽出部にて抽出された第１情報のデータ配列が前記対応情報の第２情報のデータ配列に一致または部分一致しているか否かを判定し、一致または部分一致している場合、前記第１情報を前記第２情報に対応させることで前記用紙サイズ情報を取得することを特徴とする画像形成装置。
（付記９）  印刷データに設定された用紙サイズの情報を、前記印刷データが印刷される用紙のサイズの情報である用紙サイズ情報への変換をコンピュータに実行させる変換プログラムであって、
前記印刷データを取得する印刷データ取得ステップと、
印刷データ取得ステップにて取得された印刷データから、該印刷データに設定された第１情報を抽出する抽出ステップと、
前記用紙サイズ情報と前記第１情報に基づく第２情報とを対応付けた対応情報から、前記抽出ステップにて抽出された第１情報を前記対応情報の第２情報に対応させることで前記用紙サイズ情報を取得する用紙サイズ取得ステップと、
前記用紙サイズ取得ステップにて取得された用紙サイズ情報を画像形成装置の定着器の制御装置に出力する出力ステップと、
をコンピュータに実行させる変換プログラム。
（付記１０）  付記９に記載の変換プログラムにおいて、
前記用紙サイズ取得ステップは、前記抽出ステップにて抽出された第１情報のデータ配列が前記対応情報の第２情報のデータ配列に一致または部分一致しているか否かを判定し、一致または部分一致している場合、前記第１情報を前記第２情報に対応させることで前記用紙サイズ情報を取得することを特徴とする変換プログラム。
（付記１１）  付記９または付記１０に記載の変換プログラムにおいて、
前記用紙サイズ取得ステップは、更に前記対応情報に前記用紙サイズ情報と、いずれの第１情報にも対応することができる第３情報との対応が登録されることで、前記抽出ステップにて抽出された第１情報と前記対応情報の第２情報とが対応しない場合、前記第１情報と前記第３情報を対応させることで前記用紙サイズ情報を取得することを特徴とする変換プログラム。
（付記１２）  付記９乃至付記１１のいずれかに記載の変換プログラムにおいて、
前記抽出ステップは、少なくとも前記印刷データが出力される給紙口の情報を第１情報として取得することを特徴とする変換プログラム。
（付記１３）  付記１２に記載の変換プログラムにおいて、
前記印刷データ取得ステップにて取得した前回の給紙口の情報と今回の給紙口の情報とが一致している場合、前記出力ステップにて前回出力された用紙サイズ情報と今回出力する用紙サイズ情報とが一致しているか否かを判定する用紙サイズ判定ステップをコンピュータに実行させることを特徴とする変換プログラム。
（付記１４）  付記１３に記載の変換プログラムにおいて、
前記用紙サイズ判定ステップにて判定された結果が否である場合、エラーに関する情報を表示させる表示ステップをコンピュータに実行させることを特徴とする変換プログラム。
（付記１５）  印刷データに設定された用紙サイズの情報を、前記印刷データが印刷される用紙のサイズの情報である用紙サイズ情報に変換する変換方法であって、
前記印刷データを取得する印刷データ取得ステップと、
印刷データ取得ステップにて取得された印刷データから、該印刷データに設定された第１情報を抽出する抽出ステップと、
前記用紙サイズ情報と前記第１情報に基づく第２情報とを対応付けた対応情報から、前記抽出ステップにて抽出された第１情報を前記対応情報の第２情報に対応させることで前記用紙サイズ情報を取得する用紙サイズ取得ステップと、
前記用紙サイズ取得ステップにて取得された用紙サイズ情報を画像形成装置の定着器の制御装置に出力する出力ステップと、
を実行する変換方法。
（付記１６）  付記１５に記載の変換方法において、
前記用紙サイズ取得ステップは、前記抽出ステップにて抽出された第１情報のデータ配列が前記対応情報の第２情報のデータ配列に一致または部分一致しているか否かを判定し、一致または部分一致している場合、前記第１情報を前記第２情報に対応させることで前記用紙サイズ情報を取得することを特徴とする変換方法。
（付記１７）  付記１５または付記１６に記載の変換方法において、
前記用紙サイズ取得ステップは、更に前記対応情報に前記用紙サイズ情報と、いずれの第１情報にも対応することができる第３情報との対応が登録されることで、前記抽出ステップにて抽出された第１情報と前記対応情報の第２情報とが対応しない場合、前記第１情報と前記第３情報を対応させることで前記用紙サイズ情報を取得することを特徴とする変換方法。
（付記１８）  付記１５乃至付記１７のいずれかに記載の変換方法において、
前記抽出ステップは、少なくとも前記印刷データが出力される給紙口の情報を第１情報として取得することを特徴とする変換方法。
（付記１９）  付記１８に記載の変換方法において、
前記印刷データ取得ステップにて取得した前回の給紙口の情報と今回の給紙口の情報とが一致している場合、前記出力ステップにて前回出力された用紙サイズ情報と今回出力する用紙サイズ情報とが一致しているか否かを判定する用紙サイズ判定ステップをコンピュータに実行させることを特徴とする変換方法。
（付記２０）  付記１９に記載の変換方法において、
前記用紙サイズ判定ステップにて判定された結果が否である場合、エラーに関する情報を表示させる表示ステップをコンピュータに実行させることを特徴とする変換方法。
【図面の簡単な説明】
【００６２】
【図１】実施の形態に係る、ネットワーク構成の一例を示す図である。
【図２】実施の形態に係る、印刷装置１００の構成の一例を示す図である。
【図３】実施の形態に係る、フローチャートを示す図である。
【図４】実施の形態に係る、印刷データのヘッダ情報の一例を示す図である。
【図５】実施の形態に係る、変換パターン選択テーブルの一例を示す図である。
【図６】実施の形態に係る、変換パターン情報の一例を示す図である。
【符号の説明】
【００６３】
１  変換装置、２１、２２、２３  クライアント、３０  ネットワーク、４０  インターネット、１００  印刷装置、１０２  印刷部、１０３  ＣＰＵ、１０４  ＲＡＭメモリ、１０５  フラッシュＲＯＭ、１０６  ネットワークＩ／Ｆ部、１０７  周辺制御ＬＳＩ、１０８  ユーザ操作パネル、１０９  コントローラ部、１１０、１１１、１１２  給紙トレイ、１１３  システム制御部、１５０  定着器、２０１  ＵＳＢＩ／Ｆ部、２０２  パラレルＩ／Ｆ部。
【図１】
0005119771.tif 000002
【図２】
0005119771.tif 000003
【図３】
0005119771.tif 000004
【図４】
0005119771.tif 000005
【図５】
0005119771.tif 000006
【図６】
0005119771.tif 000007